(57)【要約】【課題】実像式変倍ファインダーにおいて、小型、安価、広角、高変倍比、良好なファインダー像の観察を実現する。【解決手段】実像式変倍ファインダー（１０）は、物体側から順に、正の第１レンズ（Ｌ１）、負の第２レンズ（Ｌ２）、正の第３レンズ（Ｌ３）、正の第４レンズ（Ｌ４）からなる対物レンズ系（１）と、複数の光学部材からなる正立光学系（２）と、正の接眼レンズ系（３）とから実質的に構成される。変倍時に、第１レンズ（Ｌ１）と第３レンズ（Ｌ３）は光軸方向について固定され、第２レンズ（Ｌ２）と第４レンズ（Ｌ４）を光軸方向に移動する。正立光学系（２）の複数の光学部材の全ての光学面が平面であり、正立光学系（２）の複数の光学部材の少なくとも１つが、ガラス材質からなり、該ガラス材質のｄ線に対する屈折率をＮｄとしたとき、条件式（１）：１．６＜Ｎｄを満たす。【選択図】図１
2013024576.tif 000002
【特許請求の範囲】
【請求項１】
対物レンズ系と、複数の光学部材からなる正立光学系と、正の屈折力を有する接眼レンズ系とから実質的に構成され、
前記対物レンズ系が、物体側から順に、正の屈折力を有する第１レンズ、負の屈折力を有する第２レンズ、正の屈折力を有する第３レンズ、正の屈折力を有する第４レンズの実質的に４枚のレンズからなり、
変倍する際に、前記第１レンズおよび前記第３レンズが光軸方向について固定され、前記第２レンズおよび前記第４レンズが光軸方向に移動するように構成され、
前記正立光学系の前記複数の光学部材の全ての光学面が平面であり、
前記正立光学系の前記複数の光学部材の少なくとも１つが、ガラス材質からなるとともに該ガラス材質のｄ線に対する屈折率をＮｄとしたとき、下記条件式（１）を満たすことを特徴とする実像式変倍ファインダー。
１．６＜Ｎｄ  …  （１）
【請求項２】
最低倍率状態における、全系の角倍率、最大半画角をそれぞれγ、ωとしたとき、下記条件式（２）を満たすことを特徴とする請求項１記載の実像式変倍ファインダー。
０．１８＜｜γ・ｔａｎω｜＜０．４０  …  （２）
【請求項３】
前記正立光学系の前記複数の光学部材の少なくとも１つが、ガラス材質からなるとともに該ガラス材質のｄ線に対するアッベ数をνｄとしたとき、下記条件式（３）を満たすことを特徴とする請求項１または２記載の実像式変倍ファインダー。
νｄ＜３０  …  （３）
【請求項４】
低倍率側から高倍率側に変倍する際に、前記第２レンズが前記接眼レンズ系側へ移動し、前記第４レンズが物体側へ移動することを特徴とする請求項１から３のいずれか１項記載の実像式変倍ファインダー。
【請求項５】
前記第１レンズの物体側の面の曲率半径をＲ１ｆとし、像側の面の曲率半径をＲ１ｒとしたとき、下記条件式（４）を満たすことを特徴とする請求項１から４のいずれか１項記載の実像式変倍ファインダー。
−１＜（Ｒ１ｆ＋Ｒ１ｒ）／（Ｒ１ｆ−Ｒ１ｒ）＜１  …  （４）
【請求項６】
下記条件式（１Ａ）を満たすことを特徴とする請求項１から５のいずれか１項記載の実像式変倍ファインダー。
１．７＜Ｎｄ  …  （１Ａ）
【請求項７】
下記条件式（１Ｂ）を満たすことを特徴とする請求項１から６のいずれか１項記載の実像式変倍ファインダー。
１．８＜Ｎｄ  …  （１Ｂ）
【請求項８】
最低倍率状態における、全系の角倍率、最大半画角をそれぞれγ、ωとしたとき、下記条件式（２Ａ）を満たすことを特徴とする請求項１から７のいずれか１項記載の実像式変倍ファインダー。
０．２３＜｜γ・ｔａｎω｜＜０．３５  …  （２Ａ）
【請求項９】
前記第１レンズの物体側の面の曲率半径をＲ１ｆとし、像側の面の曲率半径をＲ１ｒとしたとき、下記条件式（４Ａ）を満たすことを特徴とする請求項１から８のいずれか１項記載の実像式変倍ファインダー。
−０．８０＜（Ｒ１ｆ＋Ｒ１ｒ）／（Ｒ１ｆ−Ｒ１ｒ）＜０．１０  …  （４Ａ）
【請求項１０】
請求項１から９のいずれか１項に記載の実像式変倍ファインダーを備えたことを特徴とする撮像装置。
【発明の詳細な説明】
【技術分野】
【０００１】
本発明は、実像式変倍ファインダーおよび撮像装置に関し、特に、デジタルカメラやフイルムカメラに好適に使用可能な実像式変倍ファインダーおよび該実像式変倍ファインダーを搭載した撮像装置に関するものである。
【背景技術】
【０００２】
従来、ファインダーとして、対物光学系で形成した像を正立光学系により像反転させて正立像とし、これを接眼光学系で観察する、いわゆる実像式のファインダーが用いられている。また、撮影光学系とファインダーが個別に構成され、撮影光学系が変倍機能を有するデジタルカメラにおいては、撮影光学系の撮影画角と変倍比に対応可能なように、ファインダーにも変倍機能を持たせたものが多く用いられている。近年、このような実像式変倍ファインダーを搭載した高品位なデジタルカメラが登場してきている。比較的高変倍比の実像式変倍ファインダーとしては、例えば、下記特許文献１〜３に記載のものが知られている。
【先行技術文献】
【特許文献】
【０００３】
【特許文献１】特開平８−１２２８５６号公報
【特許文献２】特開２００９−２９９１号公報
【特許文献３】特開２０１０−３９３３９号公報
【発明の開示】
【発明が解決しようとする課題】
【０００４】
しかしながら、上記特許文献１に記載のものは、変倍比が３倍程度であり、近年の要望に応えるにはやや不足気味である。上記特許文献２に記載のものは、対応する画角が狭く、広角レンズを搭載したカメラに適したものとはいえない。上記特許文献３に記載のものは、画角、変倍比ともに十分であるが、画角に対する倍率が低く、見かけの視野角が不十分であり、覗きやすさの点では使用者を十分満足させることができない。【０００５】
また、近年では、カメラの価格競争と小型化が進んでいることから、ファインダーに対しても低コスト化、小型化が強く要望されている。【０００６】
本発明は、上記事情に鑑みてなされたもので、小型で安価な構成としながら、広角かつ高変倍比であり、良好なファインダー像の観察が可能な実像式変倍ファインダー、該実像式変倍ファインダーを備えたカメラを提供することを目的とするものである。
【課題を解決するための手段】
【０００７】
本発明の実像式変倍ファインダーは、対物レンズ系と、複数の光学部材からなる正立光学系と、正の屈折力を有する接眼レンズ系とから実質的に構成され、対物レンズ系が、物体側から順に、正の屈折力を有する第１レンズ、負の屈折力を有する第２レンズ、正の屈折力を有する第３レンズ、正の屈折力を有する第４レンズの実質的に４枚のレンズからなり、変倍する際に、第１レンズおよび第３レンズが光軸方向について固定され、第２レンズおよび第４レンズが光軸方向に移動するように構成され、正立光学系の複数の光学部材の全ての光学面が平面であり、正立光学系の複数の光学部材の少なくとも１つが、ガラス材質からなるとともに該ガラス材質のｄ線に対する屈折率をＮｄとしたとき、下記条件式（１）を満たすことを特徴とするものである。
１．６＜Ｎｄ  …  （１）【０００８】
なお、上記「〜実質的に構成され」、「〜実質的に４枚のレンズからなり」とは、実質的にパワーを有さないレンズ、視野枠、絞りやカバーガラス等レンズ以外の光学要素、レンズフランジ、レンズバレル、撮像素子、手ぶれ補正機構等の機構部分等を含んでもよいことを意図するものである。【０００９】
なお、上記のレンズの屈折力に関する正、負は、当該レンズが非球面レンズの場合は、近軸領域で考えるものとする。【００１０】
なお、条件式（１）に代えて下記条件式（１Ａ）を満たすことがより好ましく、下記条件式（１Ｂ）を満たすことがさらにより好ましい。
１．７＜Ｎｄ  …  （１Ａ）
１．８＜Ｎｄ  …  （１Ｂ）【００１１】
本発明の実像式変倍ファインダーにおいては、最低倍率状態における、全系の角倍率、最大半画角をそれぞれγ、ωとしたとき、下記条件式（２）を満たすことが好ましい。
０．１８＜｜γ・ｔａｎω｜＜０．４０  …  （２）【００１２】
なお、条件式（２）に代えて下記条件式（２Ａ）を満たすことがより好ましい。
０．２３＜｜γ・ｔａｎω｜＜０．３５  …  （２Ａ）【００１３】
また、本発明の実像式変倍ファインダーにおいては、正立光学系の複数の光学部材の少なくとも１つが、ガラス材質からなるとともに該ガラス材質のｄ線に対するアッベ数をνｄとしたとき、下記条件式（３）を満たすことが好ましい。
νｄ＜３０  …  （３）【００１４】
また、本発明の実像式変倍ファインダーにおいては、低倍率側から高倍率側に変倍する際に、第２レンズが接眼レンズ系側へ移動し、第４レンズが物体側へ移動するように構成されていることが好ましい。【００１５】
また、本発明の実像式変倍ファインダーにおいては、第１レンズの物体側の面の曲率半径をＲ１ｆとし、像側の面の曲率半径をＲ１ｒとしたとき、下記条件式（４）を満たすことが好ましい。
−１＜（Ｒ１ｆ＋Ｒ１ｒ）／（Ｒ１ｆ−Ｒ１ｒ）＜１  …  （４）【００１６】
なお、条件式（４）に代えて下記条件式（４Ａ）を満たすことがより好ましい。
−０．８０＜（Ｒ１ｆ＋Ｒ１ｒ）／（Ｒ１ｆ−Ｒ１ｒ）＜０．１０  …  （４Ａ）【００１７】
なお、曲率半径の符号は、面形状が物体側に凸の場合を正、アイポイント側に凸の場合を負とすることにする。【００１８】
本発明の撮像装置は、上記記載の本発明の実像式変倍ファインダーを備えたことを特徴とするものである。
【発明の効果】
【００１９】
本発明の実像式変倍ファインダーによれば、物体側から順に、正、負、正、正の４つのレンズからなる対物レンズ系の２番目と４番目のレンズのみを移動させて変倍を行うよう構成しているため、小型で低コストに構成しながら高変倍比を得ることが可能である。また、本発明の実像式変倍ファインダーによれば、正立光学系の構成、特に面形状と材質を好適に設定しているため、安価で小型の構成としながら、広角かつ高変倍比を有することができ、画角に対する倍率や見かけの視野角を大きくすることが可能であり、製造時の誤差による性能劣化を抑え、良好なファインダー像を観察することができる。【００２０】
本発明の撮像装置によれば、本発明の実像式変倍ファインダーを備えているため、安価で小型に構成でき、広い画角と高変倍比を有し、良好なファインダー像を観察することができる。
【図面の簡単な説明】
【００２１】
【図１】本発明の一実施形態の実像式変倍ファインダーの構成を示す断面図
【図２】本発明の実施例１の実像式変倍ファインダーの構成を示す断面図
【図３】本発明の実施例２の実像式変倍ファインダーの構成を示す断面図
【図４】本発明の実施例３の実像式変倍ファインダーの構成を示す断面図
【図５】本発明の実施例４の実像式変倍ファインダーの構成を示す断面図
【図６】本発明の実施例５の実像式変倍ファインダーの構成を示す断面図
【図７】本発明の実施例６の実像式変倍ファインダーの構成を示す断面図
【図８】本発明の実施例７の実像式変倍ファインダーの構成を示す断面図
【図９】本発明の実施例８の実像式変倍ファインダーの構成を示す断面図
【図１０】図１０（Ａ）〜図１０（Ｉ）は本発明の実施例１の実像式変倍ファインダーの各収差図
【図１１】図１１（Ａ）〜図１１（Ｉ）は本発明の実施例２の実像式変倍ファインダーの各収差図
【図１２】図１２（Ａ）〜図１２（Ｉ）は本発明の実施例３の実像式変倍ファインダーの各収差図
【図１３】図１３（Ａ）〜図１３（Ｉ）は本発明の実施例４の実像式変倍ファインダーの各収差図
【図１４】図１４（Ａ）〜図１４（Ｉ）は本発明の実施例５の実像式変倍ファインダーの各収差図
【図１５】図１５（Ａ）〜図１５（Ｉ）は本発明の実施例６の実像式変倍ファインダーの各収差図
【図１６】図１６（Ａ）〜図１６（Ｉ）は本発明の実施例７の実像式変倍ファインダーの各収差図
【図１７】図１７（Ａ）〜図１７（Ｉ）は本発明の実施例８の実像式変倍ファインダーの各収差図
【図１８】本発明の実施形態にかかる撮像装置の背面斜視図
【発明を実施するための形態】
【００２２】
以下、本発明の実施形態について図面を参照しながら詳細に説明する。図１（Ａ）、図１（Ｂ）に、本発明の一実施形態にかかる実像式変倍ファインダー１０の断面図を示す。図１（Ａ）、図１（Ｂ）はそれぞれ、最低倍率状態、最高倍率状態におけるものである。図１（Ａ）、図１（Ｂ）はともに、図の左側を物体側、図の略右端をアイポイントＥＰとして図示している。図１（Ｂ）に示す構成要素は図１（Ａ）と同じものであり、図１（Ａ）と図１（Ｂ）では一部の構成要素の配置が違うだけであるため、図１（Ｂ）では符号の図示を省略している。
【００２３】
本実施形態の実像式変倍ファインダー１０は、物体側からアイポイント側へ向かって光軸Ｚに沿って順に配列された、対物レンズ系１と、対物レンズ系１が形成した倒立像を反転させて正立像にするための正立光学系２と、この正立像を観察するための正の屈折力を有する接眼レンズ系３とから実質的に構成される。
【００２４】
対物レンズ系１は、物体側からアイポイント側へ向かって順に配列された、正の屈折力を有する第１レンズＬ１と、負の屈折力を有する第２レンズと、正の屈折力を有する第３レンズと、正の屈折力を有する第４レンズとの実質的に４枚のレンズからなる。
【００２５】
変倍時に、第１レンズＬ１および第３レンズＬ３は光軸方向について固定されており、第２レンズＬ２および第４レンズＬ４を光軸方向に移動させて変倍を行うように構成されている。変倍時に第２レンズＬ２および第４レンズＬ４の２つのレンズのみを移動させる構成は、変倍時にこれら２つのレンズに加え第１レンズＬ１または第３レンズＬ３も移動させる構成に比べ、メカ構造を簡素化することができ、装置構成を複雑化することなく、高変倍比を得ることができる。
【００２６】
図１（Ａ）、図１（Ｂ）の間に、変倍時に移動する第２レンズＬ２および第４レンズＬ４の移動軌跡を模式的に矢印で示す。図の矢印で示すように、低倍率側から高倍率側に変倍する際に、第２レンズＬ２が接眼レンズ系側へ移動し、第４レンズＬ４が物体側へ移動するように構成されていることが好ましい。このようにした場合は、第２レンズＬ２と第４レンズＬ４の屈折力を過剰に強くすることなく変倍比を大きくすることができる。
【００２７】
なお、図１（Ａ）に示す例の対物レンズ系１は、第１レンズＬ１が両凸レンズ、第２レンズＬ２が両凹レンズ、第３レンズＬ３が物体側に凸面を向けた正メニスカスレンズ、第４レンズＬ４が両凸レンズからなり、全て単レンズで構成されている。しかし、本発明の対物レンズ系の各レンズの形状は必ずしも上記のものに限定されない。
【００２８】
また、図１（Ａ）に示す例の接眼レンズ系３は、単レンズである両凸レンズから構成されている。しかし、本発明の接眼レンズ系を構成するレンズの形状は必ずしも上記のものに限定されず、また、本発明の接眼レンズ系を複数枚のレンズで構成することも可能である。
【００２９】
正立光学系２は、複数の光学部材からなる。図１（Ａ）に示す例の正立光学系２は、物体側から順に所定空気間隔を持って配列された、三角プリズムＰ１と、ダハプリズムＰ２の２つのプリズムからなり、三角プリズムＰ１とダハプリズムＰ２の間に対物レンズ系１の焦点位置が位置するように配置されている。しかし、正立光学系２を構成する光学部材は必ずしも三角プリズムとダハプリズムに限定されず、これら以外のプリズム、ミラー、その他の光学部材を用いることも可能である。
【００３０】
正立光学系を複数の光学部材で構成することで、そのうちの２つを所定空気間隔を持って配置し、この空気間隔に視野枠を配置することが可能になる。通常、視野枠は対物レンズ系の結像位置またはその近傍に配置されるが、正立光学系を１つの光学部材で構成した場合は、この光学部材内部に対物レンズ系の結像位置が位置してしまい視野枠を配置できないか、あるいはこの光学部材外部に視野枠を配置するために対物レンズ系が大型化してしまうという傾向がある。図１（Ａ）に示す例のように、正立光学系２を２つの部材で構成した場合には、部品点数を極力抑えて低コスト化を図りながら上記のように視野枠を配置することが可能になる。
【００３１】
また、本実施形態においては、正立光学系２の複数の光学部材の全ての光学面が平面であり、正立光学系２の複数の光学部材の少なくとも１つが、ガラス材質からなるとともに該ガラス材質のｄ線に対する屈折率をＮｄとしたとき、下記条件式（１）を満たすように構成される。
１．６＜Ｎｄ  …  （１）
【００３２】
例えば、図１（Ａ）に示す例の正立光学系２は、２つの入射面、２つの出射面、６つの反射面を有するものであり、これらの面は全て光学面である。正立光学系２の複数の光学部材の全ての光学面を平面とすることで、光学面を曲面とした場合よりコスト的に有利となる。また、以下に述べるような事情により正立光学系２の材質にガラスを用いることが好ましいが、ガラス材質で構成し、かつ光学面を曲面とした場合には、製造が難しく、コストが高くなってしまうという問題がある。光学面を平面とすることでこのような問題を回避でき、正立光学系２をガラスで製作することが容易になる。
【００３３】
正立光学系２は、光学的光路長を長くして小型化を図るために空気よりも屈折率の高いプリズムで構成されることが多いが、見かけの視野角を広くしようとすると、どうしても正立光学系は体積が大きくなってしまう。従来、実像式ファインダーは正立光学系を構成するプリズムにプラスチック材質を用いたものが多かったが、プラスチックのプリズムでは体積を大きくした場合、成型時の収縮の影響により、面精度が大きく低下するという問題があった。また、正立光学系がダハ面を持つ場合、プラスチック材質では同様に収縮の影響によりダハ面の直角度が悪くなり、著しく像質を悪化させる原因になっていた。これらを防ぐためには正立光学系のプリズムをガラスで製作することが望ましい。すなわち、光学面を平面とし、ガラス材質で構成することで、低コスト化を図りながら製造時の誤差による性能劣化を抑え、良好なファインダー像を得ることができる。
【００３４】
さらに、正立光学系２のガラス材質からなる光学部材が条件式（１）を満たすようにすることで、屈折率の高い材質を選択することができ、画角に対して大きな倍率や大きな見かけの視野角を確保したまま、小型化を図ることができる。条件式（１）の下限を下回ると、見かけの視野角を大きくした際に、正立光学系２が大型化してしまう。
【００３５】
なお、上記事情より、条件式（１）に代えて下記条件式（１Ａ）を満たすことがより好ましく、下記条件式（１Ｂ）を満たすことがさらにより好ましい。条件式（１Ａ）または（１Ｂ）を満たす場合は、条件式（１）を満たす場合に得られる効果をさらに向上させることができる。
１．７＜Ｎｄ  …  （１Ａ）
１．８＜Ｎｄ  …  （１Ｂ）
【００３６】
本実施形態の実像式変倍ファインダー１０は、さらに、以下の構成の少なくとも１つまたは任意の組合せを適宜選択的に有することが好ましい。
【００３７】
本実施形態の実像式変倍ファインダー１０は、最低倍率状態における、全系の角倍率、最大半画角をそれぞれγ、ωとしたとき、下記条件式（２）を満たすことが好ましい。
０．１８＜｜γ・ｔａｎω｜＜０．４０  …  （２）
【００３８】
条件式（２）の下限を下回ると、十分な見かけの視野角が得られない。条件式（２）の上限を上回ると、正立光学系２を構成する光学部材のうち、対物レンズ系１の結像位置よりアイポイント側に配置された光学部材が大型化し、実像式変倍ファインダー１０が搭載される装置の大型化を招く。条件式（２）を満たすことで、大型化を抑制しながら十分な見かけの視野角を確保することができる。
【００３９】
さらに、条件式（２）に代えて条件式（２Ａ）を満たすことがより好ましく、条件式（２Ａ）を満たす場合は、条件式（２）を満たす場合に得られる効果をさらに向上させることができる。
０．２３＜｜γ・ｔａｎω｜＜０．３５  …  （２Ａ）
【００４０】
本実施形態の実像式変倍ファインダー１０は、正立光学系２を構成する複数の光学部材の少なくとも１つが、ガラス材質からなるとともに該ガラス材質のｄ線に対するアッベ数をνｄとしたとき、下記条件式（３）を満たすことが好ましい。
νｄ＜３０  …  （３）
【００４１】
条件式（３）を満たすように構成した場合には、軸上色収差をより良好に補正することができ、使用者がファインダーを覗いて眼を振ったときの色の滲みの発生を抑制することができる。
【００４２】
本実施形態の実像式変倍ファインダー１０は、第１レンズＬ１の物体側の面の曲率半径をＲ１ｆとし、像側の面の曲率半径をＲ１ｒとしたとき、下記条件式（４）を満たすことが好ましい。
−１＜（Ｒ１ｆ＋Ｒ１ｒ）／（Ｒ１ｆ−Ｒ１ｒ）＜１  …  （４）
【００４３】
条件式（４）の下限を下回ると、低倍率側で歪曲収差の増大を招く。条件式（４）の上限を上回ると、低倍率側で画像周辺部の非点収差が増大する。条件式（４）を満たすことで、低倍率側での歪曲収差と画像周辺部の非点収差を抑制することができる。
【００４４】
さらに、条件式（４）に代えて条件式（４Ａ）を満たすことがより好ましく、条件式（４Ａ）を満たす場合は、条件式（４）を満たす場合に得られる効果をさらに向上させることができる。
−０．８０＜（Ｒ１ｆ＋Ｒ１ｒ）／（Ｒ１ｆ−Ｒ１ｒ）＜０．１０  …  （４Ａ）
【００４５】
次に、本発明の撮像装置の実施形態について説明する。図１８に、本発明の撮像装置の一実施形態にかかるデジタルカメラ１００の背面側斜視図を示す。デジタルカメラ１００は、カメラボディの上部に本発明の実施形態にかかる実像式変倍ファインダー１０１を備える。また、デジタルカメラ１００は、カメラボディの背面に画像や各種設定画面を表示するモニタ１０２と、各種設定を行うための操作ボタン１０３と、変倍を行うためのズームレバー１０４を備え、カメラボディの上面にシャッターボタン１０５を備える。
【００４６】
デジタルカメラ１００においては、カメラボディの前面に配設された撮像レンズ（不図示）による被写体像が撮像素子（不図示）の撮像面に形成される。使用者は、背面側から実像式変倍ファインダー１０１を覗いて被写体のファインダー像を観察する。撮像の際にズームレバー１０４を操作することにより、撮像レンズの変倍が行われ、同時に、実像式変倍ファインダー１０１の変倍も行われる。
【００４７】
次に、本発明の実像式変倍ファインダーの数値実施例について説明する。実施例１〜８の実像式変倍ファインダーの構成を示す断面図をそれぞれ図２〜図９に示す。後掲の表１、表２にそれぞれ、実施例１の実像式変倍ファインダーの基本レンズデータ、非球面データを示す。同様に、後掲の表３〜表１６にそれぞれ、実施例２〜８の実像式変倍ファインダーの基本レンズデータ、非球面データを示す。なお、以下の実施例の説明では、実施例１のものを例にとり説明するが、図示方法や記号については、実施例２〜８のものについても基本的に同様である。
【００４８】
図２（Ａ）、図２（Ｂ）、図２（Ｃ）はそれぞれ、実施例１の実像式変倍ファインダーの最低倍率状態、中間倍率状態、最高倍率状態における断面図である。実施例の断面図では図の左側を物体側としており、三角プリズムＰ１とダハプリズムＰ２は光路に沿って展開して図示している。図２（Ｂ）、図２（Ｃ）に示す構成要素は図２（Ａ）と同じものであり、その配置が違うだけであるため、図２（Ｂ）、図２（Ｃ）では一部符号の図示を省略している。
【００４９】
実施例１の実像式変倍ファインダーは、物体側から順に、対物レンズ系１、正立光学系２、接眼レンズ系３が配列されて構成されている。対物レンズ系１は、物体側から順に、両凸形状の第１レンズＬ１、近軸領域で両凹形状の第２レンズＬ２、物体側に凸面を向けた正メニスカス形状の第３レンズＬ３、近軸領域で両凸形状の第４レンズＬ４が配列されて構成されている。第１レンズＬ１〜第４レンズＬ４は全て接合されていない単レンズである。第２レンズＬ２の物体側の面、第４レンズＬ４の両側の面は非球面である。
【００５０】
第１レンズＬ１および第３レンズＬ３は変倍時に光軸方向について固定されており、第２レンズＬ２および第４レンズＬ４を光軸方向に移動させて変倍を行う。図２（Ａ）、図２（Ｂ）、図２（Ｃ）の間に、第２レンズＬ２および第４レンズＬ４の移動軌跡を模式的に矢印で示す。低倍率側から高倍率に変倍する際に、第２レンズＬ２が接眼レンズ側へ移動し、第４レンズＬ４が物体側へ移動する。
【００５１】
正立光学系２は、物体側から順に、三角プリズムＰ１、ダハプリズムＰ２の２つのプリズムが配列されて構成されている。三角プリズムＰ１とダハプリズムＰ２の間には空気間隔が設けられており、対物レンズ系１の焦点位置がこの空気間隔中に位置する。三角プリズムＰ１、ダハプリズムＰ２の全ての光学面が平面であり、三角プリズムＰ１、ダハプリズムＰ２ともにガラス材質からなる。
【００５２】
接眼レンズ系３は、近軸領域で両凸形状の１枚のレンズから構成されている。このレンズの物体側の面は非球面である。
【００５３】
上述した実施例１の基本構成は、実施例２〜８についても同様である。
【００５４】
後掲の表１の上段に、実施例１の実像式変倍ファインダーの第１レンズＬ１からアイポイントまでの基本レンズデータを示す。この表では、Ｓｉの欄には最も物体側の構成要素の物体側の面を１番目としてアイポイント側に向かうに従い順次増加するｉ番目（ｉ＝１、２、３、…）の面番号を示し、Ｒｉの欄にはｉ番目の面の曲率半径を示し、Ｄｉの欄にはｉ番目の面とｉ＋１番目の面との光軸Ｚ上の面間隔を示している。また、Ｎｄｊの欄には最も物体側の構成要素を１番目としてアイポイント側に向かうに従い順次増加するｊ番目（ｊ＝１、２、３、…）の光学要素のｄ線（波長５８７．６ｎｍ）に対する屈折率を示し、νｄｊの欄にはｊ番目の構成要素のｄ線に対するアッベ数を示している。なお、曲率半径の符号は、面形状が物体側に凸の場合を正、アイポイント側に凸の場合を負としている。
【００５５】
表１のＤｉの欄のＤＤ［２］、ＤＤ［４］、ＤＤ［６］、ＤＤ［８］は、変倍時に変化する可変間隔である。表１の下段に、最低倍率、中間倍率（表では中間と記載）、最高倍率におけるこれら可変間隔と、角倍率と、全画角（表では２ω（°）と記載）の値をまとめて示す。全画角の単位は度である。長さの単位は、ここではｍｍを用いている。
【００５６】
表１の上段において、面番号に＊印が付いた面は非球面であり、非球面の曲率半径の欄には近軸の曲率半径の数値を示している。表２に各非球面の非球面係数を示す。表２の非球面係数の数値の「Ｅ−ｎ」（ｎ：整数）は「×１０−ｎ」を意味する。非球面係数は、下式で表される非球面式における各係数Ｋ、Ａｍ（ｍ＝４、６、８、…）の値である。なお、下記各表では、所定の桁でまるめた数値を記載している。
【００５７】
Ｚｄ＝Ｃ・ｈ２／｛１＋（１−ＫＡ・Ｃ２・ｈ２）１/２｝＋ΣＡｍ・ｈｍ  …  （６）
ただし、
Ｚｄ：非球面深さ（高さｈの非球面上の点から、非球面頂点が接する光軸に垂直な平面に
下ろした垂線の長さ）
ｈ：高さ（光軸からのレンズ面までの距離）
Ｃ：近軸曲率
ＫＡ、Ａｍ：非球面係数（ｍ＝４、６、８、…）
【００５８】
【表１】
2013024576.tif 000003
【００５９】
【表２】
2013024576.tif 000004
【００６０】
【表３】
2013024576.tif 000005
【００６１】
【表４】
2013024576.tif 000006
【００６２】
【表５】
2013024576.tif 000007
【００６３】
【表６】
2013024576.tif 000008
【００６４】
【表７】
2013024576.tif 000009
【００６５】
【表８】
2013024576.tif 000010
【００６６】
【表９】
2013024576.tif 000011
【００６７】
【表１０】
2013024576.tif 000012
【００６８】
【表１１】
2013024576.tif 000013
【００６９】
【表１２】
2013024576.tif 000014
【００７０】
【表１３】
2013024576.tif 000015
【００７１】
【表１４】
2013024576.tif 000016
【００７２】
【表１５】
2013024576.tif 000017
【００７３】
【表１６】
2013024576.tif 000018
【００７４】
表１７に、実施例１〜８の実像式変倍ファインダーの条件式（１）〜（４）に対応する値を示す。表１７の値はｄ線に関するものである。
【００７５】
【表１７】
2013024576.tif 000019
【００７６】
実施例１の実像式変倍ファインダーの最低倍率状態における球面収差、非点収差、ディストーション（歪曲収差）をそれぞれ図１０（Ａ）、図１０（Ｂ）、図１０（Ｃ）に示し、中間倍率状態における球面収差、非点収差、ディストーション（歪曲収差）をそれぞれ図１０（Ｄ）、図１０（Ｅ）、図１０（Ｆ）に示し、最高倍率状態における球面収差、非点収差、ディストーション（歪曲収差）をそれぞれ図１０（Ｇ）、図１０（Ｈ）、図１０（Ｉ）に示す。
【００７７】
各収差図はｄ線を基準としたものであるが、球面収差図ではＦ線（波長４８６．１ｎｍ）、Ｃ線（波長６５６．３ｎｍ）に関する収差も示している。非点収差図ではサジタル方向については実線で、タンジェンシャル方向については点線で示している。球面収差図の縦軸の上方に記載のφ３．５はアイポイントの直径を意味し、その他の収差図のωは半画角を意味する。球面収差図と非点収差図の横軸の単位はdiopterである。
【００７８】
同様に、実施例２の実像式変倍ファインダーの最低倍率状態、中間倍率状態、最高倍率状態における各収差図を図１１（Ａ）〜図１１（Ｉ）に示し、実施例３の実像式変倍ファインダーの最低倍率状態、中間倍率状態、最高倍率状態における各収差図を図１２（Ａ）〜図１２（Ｉ）に示し、実施例４の実像式変倍ファインダーの最低倍率状態、中間倍率状態、最高倍率状態における各収差図を図１３（Ａ）〜図１３（Ｉ）に示し、実施例５の実像式変倍ファインダーの最低倍率状態、中間倍率状態、最高倍率状態における各収差図を図１４（Ａ）〜図１４（Ｉ）に示し、実施例６の実像式変倍ファインダーの最低倍率状態、中間倍率状態、最高倍率状態における各収差図を図１５（Ａ）〜図１５（Ｉ）に示し、実施例７の実像式変倍ファインダーの最低倍率状態、中間倍率状態、最高倍率状態における各収差図を図１６（Ａ）〜図１６（Ｉ）に示し、実施例８の実像式変倍ファインダーの最低倍率状態、中間倍率状態、最高倍率状態における各収差図を図１７（Ａ）〜図１７（Ｉ）に示す。
【００７９】
以上、実施形態および実施例を挙げて本発明を説明したが、本発明は上記実施形態および実施例に限定されず、種々の変形が可能である。例えば、各レンズ成分の曲率半径、面間隔、屈折率、アッベ数、非球面係数等の値は、上記各数値実施例で示した値に限定されず、他の値をとり得るものである。
【図１】
2013024576.tif 000020
【図２】
2013024576.tif 000021
【図３】
2013024576.tif 000022
【図４】
2013024576.tif 000023
【図５】
2013024576.tif 000024
【図６】
2013024576.tif 000025
【図７】
2013024576.tif 000026
【図８】
2013024576.tif 000027
【図９】
2013024576.tif 000028
【図１０】
2013024576.tif 000029
【図１１】
2013024576.tif 000030
【図１２】
2013024576.tif 000031
【図１３】
2013024576.tif 000032
【図１４】
2013024576.tif 000033
【図１５】
2013024576.tif 000034
【図１６】
2013024576.tif 000035
【図１７】
2013024576.tif 000036
【図１８】
2013024576.tif 000037
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
対物レンズ系と、複数の光学部材からなる正立光学系と、正の屈折力を有する接眼レンズ系とから実質的に構成され、
前記対物レンズ系が、物体側から順に、正の屈折力を有する第１レンズ、負の屈折力を有する第２レンズ、正の屈折力を有する第３レンズ、正の屈折力を有する第４レンズの実質的に４枚のレンズからなり、
変倍する際に、前記第１レンズおよび前記第３レンズが光軸方向について固定され、前記第２レンズおよび前記第４レンズが光軸方向に移動するように構成され、
前記正立光学系の前記複数の光学部材の全ての光学面が平面であり、
前記正立光学系の前記複数の光学部材の少なくとも１つがガラス材質からなり、
該ガラス材質のｄ線に対する屈折率をＮｄとし、最低倍率状態における、全系の角倍率、最大半画角をそれぞれγ、ωとしたとき、下記条件式（１）、（２Ａ）を満たすことを特徴とする実像式変倍ファインダー。
１．６＜Ｎｄ  …  （１）
０．２３＜｜γ・ｔａｎω｜＜０．３５  …  （２Ａ）
【請求項２】
（削除）
【請求項３】
前記正立光学系の前記複数の光学部材の少なくとも１つがガラス材質からなり、
該ガラス材質のｄ線に対するアッベ数をνｄとしたとき、下記条件式（３）を満たすことを特徴とする請求項１記載の実像式変倍ファインダー。
νｄ＜３０  …  （３）
【請求項４】
低倍率側から高倍率側に変倍する際に、前記第２レンズが前記接眼レンズ系側へ移動し、前記第４レンズが物体側へ移動することを特徴とする請求項１または３記載の実像式変倍ファインダー。
【請求項５】
前記第１レンズの物体側の面の曲率半径をＲ１ｆとし、像側の面の曲率半径をＲ１ｒとしたとき、下記条件式（４）を満たすことを特徴とする請求項１、３、４のいずれか１項記載の実像式変倍ファインダー。
−１＜（Ｒ１ｆ＋Ｒ１ｒ）／（Ｒ１ｆ−Ｒ１ｒ）＜１  …  （４）
【請求項６】
下記条件式（１Ａ）を満たすことを特徴とする請求項１、３から５のいずれか１項記載の実像式変倍ファインダー。
１．７＜Ｎｄ  …  （１Ａ）
【請求項７】
下記条件式（１Ｂ）を満たすことを特徴とする請求項１、３から６のいずれか１項記載の実像式変倍ファインダー。
１．８＜Ｎｄ  …  （１Ｂ）
【請求項８】
（削除）
【請求項９】
前記第１レンズの物体側の面の曲率半径をＲ１ｆとし、像側の面の曲率半径をＲ１ｒとしたとき、下記条件式（４Ａ）を満たすことを特徴とする請求項１、３から７のいずれか１項記載の実像式変倍ファインダー。
−０．８０＜（Ｒ１ｆ＋Ｒ１ｒ）／（Ｒ１ｆ−Ｒ１ｒ）＜０．１０  …  （４Ａ）
【請求項１０】
請求項１、３から７、９のいずれか１項に記載の実像式変倍ファインダーを備えたことを特徴とする撮像装置。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
対物レンズ系と、複数の光学部材からなる正立光学系と、正の屈折力を有する接眼レンズ系とから実質的に構成され、
前記対物レンズ系が、物体側から順に、正の屈折力を有する第１レンズ、負の屈折力を有する第２レンズ、正の屈折力を有する第３レンズ、正の屈折力を有する第４レンズの実質的に４枚のレンズからなり、
変倍する際に、前記第１レンズおよび前記第３レンズが光軸方向について固定され、前記第２レンズおよび前記第４レンズが光軸方向に移動するように構成され、
前記正立光学系の前記複数の光学部材の全ての光学面が平面であり、
前記正立光学系の前記複数の光学部材の少なくとも１つがガラス材質からなり、
該ガラス材質のｄ線に対する屈折率をＮｄとし、最低倍率状態における、全系の角倍率、最大半画角をそれぞれγ、ωとしたとき、下記条件式（１）、（２Ａ）を満たすことを特徴とする実像式変倍ファインダー。
１．６＜Ｎｄ  …  （１）
０．２３＜｜γ・ｔａｎω｜＜０．３５  …  （２Ａ）
【請求項２】
前記正立光学系の前記複数の光学部材の少なくとも１つがガラス材質からなり、
該ガラス材質のｄ線に対するアッベ数をνｄとしたとき、下記条件式（３）を満たすことを特徴とする請求項１記載の実像式変倍ファインダー。
νｄ＜３０  …  （３）
【請求項３】
低倍率側から高倍率側に変倍する際に、前記第２レンズが前記接眼レンズ系側へ移動し、前記第４レンズが物体側へ移動することを特徴とする請求項１または２記載の実像式変倍ファインダー。
【請求項４】
前記第１レンズの物体側の面の曲率半径をＲ１ｆとし、アイポイント側の面の曲率半径をＲ１ｒとしたとき、下記条件式（４）を満たすことを特徴とする請求項１から３のいずれか１項記載の実像式変倍ファインダー。
−１＜（Ｒ１ｆ＋Ｒ１ｒ）／（Ｒ１ｆ−Ｒ１ｒ）＜１  …  （４）
【請求項５】
下記条件式（１Ａ）を満たすことを特徴とする請求項１から４のいずれか１項記載の実像式変倍ファインダー。
１．７＜Ｎｄ  …  （１Ａ）
【請求項６】
下記条件式（１Ｂ）を満たすことを特徴とする請求項１から５のいずれか１項記載の実像式変倍ファインダー。
１．８＜Ｎｄ  …  （１Ｂ）
【請求項７】
前記第１レンズの物体側の面の曲率半径をＲ１ｆとし、アイポイント側の面の曲率半径をＲ１ｒとしたとき、下記条件式（４Ａ）を満たすことを特徴とする請求項１から６のいずれか１項記載の実像式変倍ファインダー。
−０．８０＜（Ｒ１ｆ＋Ｒ１ｒ）／（Ｒ１ｆ−Ｒ１ｒ）＜０．１０  …  （４Ａ）
【請求項８】
請求項１から７のいずれか１項に記載の実像式変倍ファインダーを備えたことを特徴とする撮像装置。
【手続補正２】
【補正対象書類名】明細書
【補正対象項目名】０００７
【補正方法】変更
【補正の内容】
【０００７】
本発明の実像式変倍ファインダーは、対物レンズ系と、複数の光学部材からなる正立光学系と、正の屈折力を有する接眼レンズ系とから実質的に構成され、対物レンズ系が、物体側から順に、正の屈折力を有する第１レンズ、負の屈折力を有する第２レンズ、正の屈折力を有する第３レンズ、正の屈折力を有する第４レンズの実質的に４枚のレンズからなり、変倍する際に、第１レンズおよび第３レンズが光軸方向について固定され、第２レンズおよび第４レンズが光軸方向に移動するように構成され、正立光学系の複数の光学部材の全ての光学面が平面であり、正立光学系の複数の光学部材の少なくとも１つがガラス材質からなり、該ガラス材質のｄ線に対する屈折率をＮｄとし、最低倍率状態における、全系の角倍率、最大半画角をそれぞれγ、ωとしたとき、下記条件式（１）、（２Ａ）を満たすことを特徴とするものである。
１．６＜Ｎｄ  …  （１）
０．２３＜｜γ・ｔａｎω｜＜０．３５  …  （２Ａ）
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１５
【補正方法】変更
【補正の内容】
【００１５】
また、本発明の実像式変倍ファインダーにおいては、第１レンズの物体側の面の曲率半径をＲ１ｆとし、アイポイント側の面の曲率半径をＲ１ｒとしたとき、下記条件式（４）を満たすことが好ましい。
−１＜（Ｒ１ｆ＋Ｒ１ｒ）／（Ｒ１ｆ−Ｒ１ｒ）＜１  …  （４）
【手続補正６】
【補正対象書類名】明細書
【補正対象項目名】００２４
【補正方法】変更
【補正の内容】
【００２４】
対物レンズ系１は、物体側からアイポイント側へ向かって順に配列された、正の屈折力を有する第１レンズＬ１と、負の屈折力を有する第２レンズＬ２と、正の屈折力を有する第３レンズＬ３と、正の屈折力を有する第４レンズとの実質的に４枚のレンズからなる。
【手続補正７】
【補正対象書類名】明細書
【補正対象項目名】００４２
【補正方法】変更
【補正の内容】
【００４２】
本実施形態の実像式変倍ファインダー１０は、第１レンズＬ１の物体側の面の曲率半径をＲ１ｆとし、アイポイント側の面の曲率半径をＲ１ｒとしたとき、下記条件式（４）を満たすことが好ましい。
−１＜（Ｒ１ｆ＋Ｒ１ｒ）／（Ｒ１ｆ−Ｒ１ｒ）＜１  …  （４）
【手続補正８】
【補正対象書類名】明細書
【補正対象項目名】００５７
【補正方法】変更
【補正の内容】
【００５７】
Ｚｄ＝Ｃ・ｈ２／｛１＋（１−ＫＡ・Ｃ２・ｈ２）１/２｝＋ΣＡｍ・ｈｍ  …  （６）
ただし、
Ｚｄ：非球面深さ（高さｈの非球面上の点から、非球面頂点が接する光軸に垂直な平面に
下ろした垂線の長さ）
ｈ：高さ（光軸からのレンズ面までの距離）
Ｃ：近軸曲率
ＫＡ、Ａｍ：非球面係数（ｍ＝４、６、８、…）
【国際調査報告】
2013024576.tif 000038
2013024576.tif 000039
2013024576.tif 000040
2013024576.tif 000041